(57)【要約】【課題】  複数チャンネルの放送信号を出力する際に、先に出力されているチャンネルの放送信号を継続して出力する。【解決手段】  放送受信装置１は、複数のチャンネルの放送信号のうち１つを出力する第１受信部１０および第２受信部２０と、複数の放送信号を合成するダイバーシティ合成部３３と、放送信号を復調し、復調信号を出力する第１復調部１２および第２復調部２２と、第１受信部１０および第２受信部２０の少なくとも１つが再生可能な放送信号を出力する場合、第１受信部１０および第２受信部２０のうち出力可能な放送信号を出力する少なくとも１つが出力する放送信号を第２復調部２２に復調させ、第１受信部１０および第２受信部２０のうち他方に別チャンネルの放送信号を出力させ、該放送信号を第１復調部１２に復調させるマルチチャンネル制御部３５と、を備える。【選択図】        図１
2008092202.tif 000002
【特許請求の範囲】
【請求項１】
複数のチャンネルの放送信号のうちから１つを選択して出力する複数の受信手段と、
前記複数の受信手段が出力する放送信号のうちから選択された同一チャンネルの複数の放送信号を合成し、１つの放送信号を出力する合成手段と、
前記複数の受信手段がそれぞれ出力する複数の放送信号および前記合成手段が出力する放送信号のいずれかを復調し、復調信号を出力する第１の復調手段と、
前記複数の受信手段がそれぞれ出力する複数の放送信号のいずれかを復調し、復調信号を出力する第２の復調手段と、
前記第２の復調手段が出力する復調信号に基づいて、前記複数の受信手段の少なくとも１つが再生可能な放送信号を出力するか否かを判断する判断手段と、
前記判断手段により前記複数の受信手段の少なくとも１つが出力する放送信号が再生可能と判断された場合、前記複数の受信手段のうちから出力可能な放送信号を出力する少なくとも１つの受信手段を決定し、該決定された少なくとも１つの受信手段が出力する放送信号を前記第２の復調手段に復調させ、前記複数の受信手段のうち前記決定された少なくとも１つの受信手段とは別の受信手段に別のチャンネルの放送信号を出力させ、該放送信号を前記第１の復調手段に復調させるチャンネル切換手段と、を備えた放送受信装置。
【請求項２】
前記判断手段は、前記第２の復調手段が出力する復調信号のエラー率を所定のしきい値と比較する比較手段を含む、請求項１に記載の放送受信装置。
【請求項３】
前記判断手段は、前記合成手段の出力する放送信号のチャンネルとは別のチャンネルの出力要求が受け付けられることに応じて、前記複数の受信手段の少なくとも１つが再生可能な放送信号を出力するか否かを判断し、
前記チャンネル切換手段は、前記複数の受信手段のいずれもが再生不可能な放送信号を出力する場合、前記複数の受信手段のいずれにも別のチャンネルの放送信号を出力させない、請求項１記載の放送受信装置。
【請求項４】
復調信号に基づき画像を表示する第１および第２の表示手段と、
前記第１の復調手段が出力する復調信号を、前記第１の表示手段に出力する場合、前記第２の表示手段に出力する場合、および前記第１の表示手段と前記第２の表示手段との双方に出力する場合のいずれかに切換える第１の切換手段と、
前記第２の復調手段が出力する復調信号を、前記第１の表示手段に出力する場合、前記第２の表示手段に出力する場合、前記第１の表示手段と前記第２の表示手段との双方に出力する場合、および前記第１の表示手段と前記第２の表示手段のいずれにも出力しない場合のいずれかに切換える第２の切換手段と、をさらに備え、
前記判断手段は、前記合成手段の出力する放送信号のチャンネルとは別のチャンネルの出力要求が受け付けられることに応じて、前記複数の受信手段の少なくとも１つが再生可能な放送信号を出力するか否かを判断し、
前記チャンネル切換手段は、前記判断手段により前記複数の受信手段の少なくとも１つが再生可能な放送信号を出力すると判断されることを条件に、前記第１の切換手段および前記第２の切換手段を制御して、前記第２の復調手段が出力する復調信号を前記第１の表示手段および前記第２の表示手段のいずれか一方に出力させ、前記第１の復調手段が出力する復調信号を前記第１の表示手段および前記第２の表示手段の他方に出力させる、請求項１に記載の放送受信装置。
【請求項５】
複数のチャンネルの放送信号のうちから１つを選択して出力する複数の受信手段と、
前記複数の受信手段が出力する放送信号のうちから選択された同一チャンネルの複数の放送信号を合成し、１つの放送信号を出力する合成手段と、
放送信号を表示する第１および第２の表示手段と、
前記合成された放送信号を前記第１および第２の表示手段の少なくとも一方に表示させるチャンネル切換手段と、
前記合成手段の出力する放送信号のチャンネルとは別のチャンネルの出力要求が受け付けられることに応じて、前記複数の受信手段がそれぞれ出力する複数の放送信号の少なくとも１つが再生可能か否かを判断する判断手段と、を備え、
前記チャンネル切換手段は、前記判断手段により前記複数の受信手段の少なくとも１つが出力する放送信号が再生可能と判断されることを条件に、前記出力可能な放送信号を出力する少なくとも１つの受信手段が出力する放送信号を前記第１の表示手段および第２の表示手段のいずれか一方に表示させ、前記複数の受信手段のうち前記出力可能な放送信号を出力する少なくとも１つの受信手段とは別の受信手段に別のチャンネルの放送信号を出力させ、該放送信号を前記第１の表示手段および第２の表示手段の他方に表示させるチャンネル切換手段と、を備えた放送受信装置。
【請求項６】
複数のチャンネルの放送信号のうちから１つを選択して出力する第１および第２の受信手段と、
前記第１および第２の受信手段がそれぞれ出力する同一チャンネルの２つの放送信号を合成して１つの放送信号を出力する合成手段と、
前記第１の受信手段および前記合成手段のいずれか一方が出力する放送信号を復調し、復調信号を出力する第１の復調手段と、
前記第２の受信手段が出力する放送信号を復調し、復調信号を出力する第２の復調手段と、
前記第１の復調手段が前記合成手段の出力する放送信号を復調しているとき、前記合成手段が出力する放送信号の出力チャンネルとは別のチャンネルの出力要求が受け付けられることに応じて、前記第２の復調手段が出力する復調信号が再生可能か否かを判断する判断手段と、
前記判断手段により再生可能と判断された場合、前記第１の受信手段に前記別のチャンネルの放送信号を出力させ、前記第１の復調手段に前記第１の受信手段が出力する放送信号を復調させるチャンネル切換手段と、を備えた放送受信装置。
【請求項７】
複数のチャンネルの放送信号のうちから１つを選択して出力する第１および第２の受信手段と、
前記第１および第２の受信手段がそれぞれ出力する同一チャンネルの２つの放送信号を合成して１つの放送信号を出力する合成手段と、
前記第１の受信手段、前記第２の受信手段および前記合成手段のいずれかが出力する放送信号を復調し、復調信号を出力する第１の復調手段と、
前記第１の受信手段および前記第２の受信手段のいずれかが出力する放送信号を復調し、復調信号を出力する第２の復調手段と、
前記第２の復調手段は、前記第１の復調手段が前記合成手段の出力する放送信号を復調しているとき、第１の期間に前記第１の受信手段が出力する放送信号を復調し、前記第１の期間と異なる第２の期間に前記第２の受信手段が出力する放送信号を復調し、
前記第２の復調手段が出力する復調信号に基づいて、前記第１の受信手段および前記第２の受信手段が出力する放送信号が再生可能か否かを判断し、判断結果を記憶する履歴記憶手段と、
前記第１の復調手段が前記合成手段の出力する放送信号を復調しているとき、前記合成手段が出力する放送信号のチャンネルとは別のチャンネルの出力要求が受け付けられることに応じて、前記記憶された判断結果に基づいて、前記第１の受信手段および前記第２の受信手段それぞれが出力する放送信号が再生可能か否かを判断する判断手段と、
前記判断手段により前記第１の受信手段および前記第２の受信手段の少なくとも一方が出力する放送信号が再生可能と判断された場合、前記第１の受信手段および前記第２の受信手段のうちから出力可能な放送信号を出力する１つを決定し、該決定された受信手段が出力する放送信号を前記第１の復調手段および前記第２の復調手段のいずれか一方に復調させ、前記第１の受信手段および前記第２の受信手段のうち前記決定された受信手段とは別の受信手段に前記別のチャンネルの放送信号を出力させ、該放送信号を前記第１の復調手段および前記第２の復調手段の他方に復調させるチャンネル切換手段と、を備えた放送受信装置。
【請求項８】
画質優先モードをＯＮまたはＯＦＦのいずれかに設定する手段をさらに備え、
前記判断手段は、画質優先モードがＯＮに設定されている場合、高画質の放送信号のＢＥＲ（Ｂｉｔ  Ｅｒｒｏｒ  Ｒａｔｅ）またはＭＥＲ（Ｍｏｄｕｌａｔｉｏｎ  Ｅｒｒｏｒ  Ｒａｔｅ）が所定の値以下であれば再生可能と判断し、画質優先モードがＯＦＦに設定されている場合、低画質の放送信号のＢＥＲまたはＭＥＲが所定の値以下であれば再生可能と判断する、請求項１，５〜７のいずれかに記載の放送受信装置。
【発明の詳細な説明】
【技術分野】
【０００１】
この発明は放送受信装置に関し、特に、デジタル放送をダイバーシティ受信する放送受信装置に関する。
【背景技術】
【０００２】
近年、移動体に搭載されるテレビジョン受信機として、放送波を２本のアンテナで受信するダイバーシティ方式を採用したものが流通している。ダイバーシティ方式を採用したテレビジョン受信機は、２本のアンテナそれぞれに対応する２系統の放送信号処理回路を搭載しており、マルチパス干渉（反射波などによる干渉）などにより片方のアンテナで受信した放送波を処理した放送信号が乱れても別のアンテナで受信した放送波を処理した放送信号を利用できるので、安定した放送信号を出力することができる。
【０００３】
一方、移動体が放送波を良好な状態で受信できる環境に位置する場合、１本のアンテナで放送波を受信し、１系統の放送信号処理回路が出力する放送信号があれば、映像を再生するのに十分である。このため、特開２００６−７４６６５号公報には、第１の放送信号処理回路によってデジタル放送の受信を行いつつ、第２の放送信号処理回路によって当該受信中のチャンネル以外のデジタル放送をサーチしデジタル受信チャンネル情報を収集する技術が記載されている。
【０００４】
しかしながら、デジタル放送を受信する場合、第１および第２の映像処理回路がそれぞれ出力する放送信号を復調した後でなければ、デジタル放送の受信状況の良否を判断することができない。従来の技術は、復調回路を１つ備え、その復調回路で、第１の映像処理回路が出力する放送信号と第２の映像処理回路が出力する放送信号とをダイバーシティ合成した後の放送信号を復調する。ダイバーシティ合成された放送信号が映像を再生するのに十分な信号であったとしても、第１の映像処理回路のみが出力する放送信号が、そうであるとは限らない。このため、第２の放送信号処理回路によってデジタル放送をサーチしている間、第１の放送信号処理回路によって受信しているデジタル放送の映像を再生できなくなる場合があるといった問題がある。
【特許文献１】特開２００６−７４６６５号公報
【発明の開示】
【発明が解決しようとする課題】
【０００５】
この発明は上述した問題点を解決するためになされたもので、この発明の目的の１つは、複数チャンネルの放送信号を出力する際に、先に出力されているチャンネルの放送信号を継続して出力することが可能な放送受信装置を提供することである。
【課題を解決するための手段】
【０００６】
上述した目的を達成するためにこの発明のある局面によれば、放送受信装置は、複数のチャンネルの放送信号のうちから１つを選択して出力する複数の受信手段と、複数の受信手段が出力する放送信号のうちから選択された同一チャンネルの複数の放送信号を合成し、１つの放送信号を出力する合成手段と、複数の受信手段がそれぞれ出力する複数の放送信号および合成手段が出力する放送信号のいずれかを復調し、復調信号を出力する第１の復調手段と、複数の受信手段がそれぞれ出力する複数の放送信号のいずれかを復調し、復調信号を出力する第２の復調手段と、第２の復調手段が出力する復調信号に基づいて、複数の受信手段の少なくとも１つが再生可能な放送信号を出力するか否かを判断する判断手段と、判断手段により複数の受信手段の少なくとも１つが出力する放送信号が再生可能と判断された場合、複数の受信手段のうちから出力可能な放送信号を出力する少なくとも１つの受信手段を決定し、該決定された少なくとも１つの受信手段が出力する放送信号を第２の復調手段に復調させ、複数の受信手段のうち決定された少なくとも１つの受信手段とは別の受信手段に別のチャンネルの放送信号を出力させ、該放送信号を第１の復調手段に復調させるチャンネル切換手段と、を備える。
【０００７】
この局面に従えば、複数の受信手段の少なくとも１つが再生可能な放送信号を出力すると判断された場合、再生可能な放送信号を出力する受信手段のうちから選ばれた少なくとも１つで、そのチャンネルの放送信号が出力され、その受信手段とは別の受信手段で別のチャンネルの放送信号が出力される。再生可能な放送信号は、例えば、復調信号または復号信号のエラー率が所定のしきい値より小さい信号であり、再生の結果出力される映像あるいは音声が視聴できる信号である。
【０００８】
好ましくは、判断手段は、第２の復調手段が出力する復調信号のエラー率を所定のしきい値と比較する比較手段を含む。
【０００９】
好ましくは、判断手段は、合成手段の出力する放送信号のチャンネルとは別のチャンネルの出力要求が受け付けられることに応じて、複数の受信手段の少なくとも１つが再生可能な放送信号を出力するか否かを判断し、チャンネル切換手段は、複数の受信手段のいずれもが再生不可能な放送信号を出力する場合、複数の受信手段のいずれにも別のチャンネルの放送信号を出力させない。
【００１０】
この局面に従えば、複数の受信手段のいずれもが再生不可能な放送信号を出力する場合別チャンネルの放送信号は出力されない。このため、先に出力されているチャンネルの放送信号を継続して出力することができる。
【００１１】
好ましくは、復調信号に基づき画像を表示する第１および第２の表示手段と、第１の復調手段が出力する復調信号を、第１の表示手段に出力する場合、第２の表示手段に出力する場合、および第１の表示手段と第２の表示手段との双方に出力する場合のいずれかに切換える第１の切換手段と、第２の復調手段が出力する復調信号を、第１の表示手段に出力する場合、第２の表示手段に出力する場合、第１の表示手段と第２の表示手段との双方に出力する場合、および第１の表示手段と第２の表示手段のいずれにも出力しない場合のいずれかに切換える第２の切換手段と、をさらに備え、判断手段は、合成手段の出力する放送信号のチャンネルとは別のチャンネルの出力要求が受け付けられることに応じて、複数の受信手段の少なくとも１つが再生可能な放送信号を出力するか否かを判断し、チャンネル切換手段は、判断手段により、複数の受信手段の少なくとも１つが再生可能な放送信号を出力すると判断されることを条件に、第１の切換手段および第２の切換手段を制御して、第２の復調手段が出力する復調信号を第１の表示手段および第２の表示手段のいずれか一方に出力させ、第１の復調手段が出力する復調信号を第１の表示手段および第２の表示手段の他方に出力させる。
【００１２】
この局面に従えば、複数の受信手段の少なくとも１つが再生可能な放送信号を出力すると判断されることを条件に、それまで受信していたチャンネルの放送信号を復調する第２の復調手段が出力する復調信号が第１の表示手段および第２の表示手段のいずれか一方に出力され、別のチャンネルの放送信号を復調する第１の復調手段が出力する復調信号が第１の表示手段および第２の表示手段の他方に出力される。このため、先に表示されているチャンネルの放送信号を継続して表示しつつ、別チャンネルの放送信号を表示することができる。
【００１３】
この発明の他の局面によれば、放送受信装置は、複数のチャンネルの放送信号のうちから１つを選択して出力する複数の受信手段と、複数の受信手段が出力する放送信号のうちから選択された同一チャンネルの複数の放送信号を合成し、１つの放送信号を出力する合成手段と、放送信号を表示する第１および第２の表示手段と、合成された放送信号を第１および第２の表示手段の少なくとも一方に表示させるチャンネル切換手段と、合成手段の出力する放送信号のチャンネルとは別のチャンネルの出力要求が受け付けられることに応じて、複数の受信手段がそれぞれ出力する複数の放送信号の少なくとも１つが再生可能か否かを判断する判断手段と、を備え、チャンネル切換手段は、判断手段により複数の受信手段の少なくとも１つが出力する放送信号が再生可能と判断されることを条件に、出力可能な放送信号を出力する少なくとも１つの受信手段が出力する放送信号を第１の表示手段および第２の表示手段のいずれか一方に表示させ、複数の受信手段のうち出力可能な放送信号を出力する少なくとも１つの受信手段とは別の受信手段に別のチャンネルの放送信号を出力させ、該放送信号を第１の表示手段および第２の表示手段の他方に表示させるチャンネル切換手段と、を備える。
【００１４】
この局面に従えば、合成手段の出力する放送信号のチャンネルとは別のチャンネルの出力要求が受け付けられると、複数の受信手段の少なくとも１つが出力する放送信号が再生可能と判断されることを条件に、出力可能な放送信号を出力する少なくとも１つの受信手段が出力する放送信号が第１の表示手段および第２の表示手段のいずれか一方に表示され、複数の受信手段のうち出力可能な放送信号を出力する少なくとも１つの受信手段とは別の受信手段に別のチャンネルの放送信号を出力させ、該放送信号が第１の表示手段および第２の表示手段の他方に表示される。
【００１５】
この発明の他の局面によれば、放送受信装置は、複数のチャンネルの放送信号のうちから１つを選択して出力する第１および第２の受信手段と、第１および第２の受信手段がそれぞれ出力する同一チャンネルの２つの放送信号を合成して１つの放送信号を出力する合成手段と、第１の受信手段および合成手段のいずれか一方が出力する放送信号を復調し、復調信号を出力する第１の復調手段と、第２の受信手段が出力する放送信号を復調し、復調信号を出力する第２の復調手段と、第１の復調手段が合成手段の出力する放送信号を復調しているとき、合成手段が出力する放送信号の出力チャンネルとは別のチャンネルの出力要求が受け付けられることに応じて、第２の復調手段が出力する復調信号が再生可能か否かを判断する判断手段と、判断手段により再生可能と判断された場合、第１の受信手段に別チャンネルの放送信号を出力させ、第１の復調手段に第１の受信手段が出力する放送信号を復調させるチャンネル切換手段と、を備える。
【００１６】
この局面に従えば、第１の復号手段が合成手段の出力する放送信号を復調しているとき、別のチャンネルの出力要求が受け付けられることに応じて、第２の復調手段が出力する復調信号が再生可能か否かが判断される。そして、第２の復調手段が出力する復調信号が再生可能と判断された場合、第１の受信手段に別チャンネルの放送信号を出力させ、第１の復調手段に第１の受信手段が出力する放送信号を復号させる。
【００１７】
この発明のさらに他の局面によれば、放送受信装置は、複数のチャンネルの放送信号のうちから１つを選択して出力する第１および第２の受信手段と、第１および第２の受信手段がそれぞれ出力する同一チャンネルの２つの放送信号を合成して１つの放送信号を出力する合成手段と、第１の受信手段、第２の受信手段および合成手段のいずれかが出力する放送信号を復調し、復調信号を出力する第１の復調手段と、第１の受信手段および第２の受信手段のいずれかが出力する放送信号を復調し、復調信号を出力する第２の復調手段と、第２の復調手段は、第１の復調手段が合成手段の出力する放送信号を復調しているとき、第１の期間に第１の受信手段が出力する放送信号を復調し、第１の期間と異なる第２の期間に第２の受信手段が出力する放送信号を復調し、第２の復調手段が出力する復調信号に基づいて、第１の受信手段および第２の受信手段が出力する放送信号が再生可能か否かを判断し、判断結果を記憶する履歴記憶手段と、第１の復調手段が合成手段の出力する放送信号を復調しているとき、合成手段が出力する放送信号のチャンネルとは別のチャンネルの出力要求が受け付けられることに応じて、記憶された判断結果に基づいて、第１の受信手段および第２の受信手段それぞれが出力する放送信号が再生可能か否かを判断する判断手段と、判断手段により第１の受信手段および第２の受信手段の少なくとも一方が出力する放送信号が再生可能と判断された場合、第１の受信手段および第２の受信手段のうちから出力可能な放送信号を出力する１つを決定し、該決定された受信手段が出力する放送信号を第１の復調手段および第２の復調手段のいずれか一方に復調させ、第１の受信手段および第２の受信手段のうち決定された受信手段とは別の受信手段に別のチャンネルの放送信号を出力させ、該放送信号を第１の復調手段および第２の復調手段の他方に復調させるチャンネル切換手段と、を備える。
【００１８】
この局面に従えば、第１の復調手段が復調した放送信号を出力しているとき、第２の復調手段が第１および第２の受信手段が出力する放送信号を時分割で復調するので、放送信号を出力しつつ第１および第２の受信手段が出力する放送信号の再生可否を判断することができる。そして、判断結果を記憶した履歴データに基づいて、第１の受信手段および第２の受信手段それぞれが出力する放送信号が、再生可能か否かを判断し、第１の受信手段および第２の受信手段の少なくとも一方が出力する放送信号が再生可能と判断された場合、別の受信手段に別のチャンネルの放送信号を出力させる。
【００１９】
好ましくは、画質優先モードをＯＮまたはＯＦＦのいずれかに設定する手段をさらに備え、判断手段は、画質優先モードがＯＮに設定されている場合、高画質の放送信号のＢＥＲ（Ｂｉｔ  Ｅｒｒｏｒ  Ｒａｔｅ）またはＭＥＲ（Ｍｏｄｕｌａｔｉｏｎ  Ｅｒｒｏｒ  Ｒａｔｅ）が所定の値以下であれば再生可能と判断し、画質優先モードがＯＦＦに設定されている場合、低画質の放送信号のＢＥＲまたはＭＥＲが所定の値以下であれば再生可能と判断する。
【００２０】
この局面に従えば、高画質では複数チャンネルを再生できない場合であっても、画質を犠牲にした低画質であれば複数チャンネルを再生することができる。このため、ユーザの要望に応じて、画質を優先するか再生するチャンネル数を優先するかを切換えることができる。
【００２１】
この発明のさらに他の局面によれば、放送受信装置は、複数のチャンネルの放送信号のうちから１つを選択して出力する複数の受信手段と、複数の受信手段が出力する複数の放送信号のうちから同一チャンネルの放送信号を出力する少なくとも２つの受信手段を選択する選択手段と、選択された少なくとも２つの受信手段が出力する放送信号を合成し、合成した１つの放送信号を出力する合成手段と、合成手段は、２つの放送信号を合成するサブ合成手段を少なくとも１つ含み、複数の受信手段がそれぞれ出力する複数の放送信号、少なくとも１つのサブ合成手段が出力する放送信号および合成手段が出力する放送信号のいずれかを復調し、復調信号を出力する第１の復調手段と、複数の受信手段がそれぞれ出力する複数の放送信号のいずれかを復調し、復調信号を出力する第２の復調手段と、第２の復調手段は、複数の受信手段それぞれが出力する複数の放送信号を所定の時間間隔で順に復調し、第２の復調手段が出力する復調信号に基づいて、複数の受信手段それぞれが出力する放送信号および少なくとも１つのサブ合成手段が出力する放送信号が再生可能か否かを判断する第１判断手段と、第１判断手段による判断結果を記憶する履歴記憶手段と、第１の復調手段が合成手段の出力する放送信号を復調しているとき、合成手段が出力する放送信号のチャンネルとは別のチャンネルの出力要求が受け付けられることに応じて、記憶された判断結果に基づいて、複数の受信手段それぞれが出力する放送信号が再生可能か否かを判断する第２判断手段と、第２判断手段により複数の受信手段の少なくとも１つが出力する放送信号が再生可能と判断された場合、複数の受信手段のうちから出力可能な放送信号を出力する少なくとも１つの受信手段を決定し、該決定された少なくとも１つの受信手段が出力する放送信号を第１の復調手段および第２の復調手段のいずれか一方に復調させ、複数の受信手段のうち決定された少なくとも１つの受信手段とは別の受信手段に別のチャンネルの放送信号を出力させ、該放送信号を第１の復調手段および第２の復調手段の他方に復調させるチャンネル切換手段と、を備える。
【００２２】
この局面に従えば、第１の復調手段が復調した放送信号を出力しつつ、第２の復調手段が複数の受信手段それぞれが出力する複数の放送信号を所定の時間間隔で順に復調するので、放送信号を出力しつつ複数の受信手段が出力する放送信号の再生可否を判断することができる。そして、判断結果を記憶した履歴データに基づいて、複数の受信手段それぞれが出力する放送信号が、再生可能か否かを判断し、複数の受信手段および少なくとも１つのサブ合成手段の少なくとも一方が出力する放送信号が再生可能と判断された場合、別の受信手段に別のチャンネルの放送信号を出力させる。
【００２３】
好ましくは、第１および第２の復調手段が出力する復調信号のいずれかが入力され、入力された復調信号を出力する第１の出力手段と、第１および第２の復調手段が出力する復調信号のいずれかが入力され、入力された復調信号を出力する第２の出力手段と、をさらに備える。
【００２４】
この発明のさらに他の局面によれば、チャンネル切換方法は、複数のチャンネルの放送信号を同時に受信可能な放送受信装置で実行されるチャンネル切換方法であって、放送受信装置は、複数のチャンネルの放送信号のうちから１つを選択して出力可能な複数の受信手段と、複数の受信手段が出力する放送信号のうちから選択された同一チャンネルの複数の放送信号を合成し、１つの放送信号を出力する合成手段と、を備え、合成手段の出力する放送信号のチャンネルとは別のチャンネルの出力要求が受け付けられることに応じて、複数の受信手段の少なくとも１つが再生可能な放送信号を出力するか否かを判断するステップと、複数の受信手段の少なくとも１つが再生可能な放送信号を出力すると判断された場合、再生可能な放送信号を出力する少なくとも１つの受信手段のうち少なくとも１つ以外の受信手段に別のチャンネルの放送信号を出力させるステップと、を含む。
【発明の効果】
【００２５】
この発明の従えば、複数チャンネルの放送信号を出力する際に、先に出力されているチャンネルの放送信号を継続して出力することが可能な放送受信装置を提供することができる。
【発明を実施するための最良の形態】
【００２６】
以下、本発明の実施の形態について図面を参照して説明する。以下の説明では同一の部品には同一の符号を付してある。それらの名称および機能も同じである。したがってそれらについての詳細な説明は繰返さない。
【００２７】
＜第１の実施の形態＞
図１は、本発明の第１の実施の形態における放送受信装置の回路構成を示すブロック図である。図１を参照して、放送受信装置１は、放送波を受信し、放送信号を出力する第１受信部１０および第２受信部２０と、放送信号を復調するための第１復調部１２および第２復調部２２と、復調された放送信号をデコードするための第１ＭＰＥＧ（Ｍｏｖｉｎｇ  Ｐｉｃｔｕｒｅ  Ｅｘｐｅｒｔｓ  Ｇｒｏｕｐ）デコーダ１３および第２ＭＰＥＧデコーダ２３と、入力されるビデオ信号に従って映像を出力する第１ディスプレイ１５および第２ディスプレイ２５と、第１ＭＰＥＧデコーダ１３が出力するビデオ信号を第１ディスプレイ１５および第２ディスプレイ２５のいずれかに切換えるための第１映像信号切換部１４と、第２ＭＰＥＧデコーダ２３が出力するビデオ信号を第１ディスプレイ１５および第２ディスプレイ２５のいずれかに切換えるための第２映像信号切換部２４と、第２受信部２０が出力する映像信号をダイバーシティ合成部３３に出力するか否かを切換えるためのＦＦＴ信号切換部３１と、２つの映像信号を合成するダイバーシティ合成部３３と、マルチチャンネル制御部３５と、ユーザによる操作の入力を受け付けるための操作部４１と、優先モード設定部３９と、を備える。この放送受信装置１は、移動体である車両に搭載される。
【００２８】
第１受信部１０および第２受信部２０それぞれは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）伝送方式により伝送される放送波を受信し、放送波に含まれる複数のチャンネルの放送信号のうちから１つを選択し、放送信号を出力する。第１受信部１０は、アンテナ１０１と、チューナ１０２と、ＦＦＴ（Ｆａｓｔ  Ｆｏｕｒｉｅｒ  Ｔｒａｎｓｆｏｒｍ）部１０３とを含む。第２受信部２０は、アンテナ２０１と、チューナ２０２と、ＦＦＴ部２０３とを含む。第１受信部１０と第２受信部２０とは機能が同じなので、ここでは第１受信部１０について説明する。
【００２９】
チューナ１０２は、マルチチャンネル制御部３５により制御され、アンテナ１０１が受信する放送波に含まれる複数チャンネルの放送信号のうちからマルチチャンネル制御部３５から入力される制御信号によって指定された１つのチャンネルの放送信号を選択し、ＦＦＴ部１０３に出力する。ＦＦＴ部１０３は、チューナから入力される放送信号をファーストフーリエ変換する。
【００３０】
ＦＦＴ信号切換部３１は、入力端子が第２受信部２０のＦＦＴ部２０３の出力端子と接続され、出力端子がダイバーシティ合成部３３の第２の入力端子と接続されており、マルチチャンネル制御部３５により制御される。ＦＦＴ信号切換部３１は、第２受信部２０が出力する放送信号が入力され、マルチチャンネル制御部３５から入力される制御信号に従って、放送信号をダイバーシティ合成部３３に出力するか否かを切換える。マルチチャンネル制御部３５は、第１受信部１０および第２受信部２０に同一チャンネルの放送信号を出力させるための制御信号を出力している場合、第２受信部２０のＦＦＴ部２０３から入力される放送信号をダイバーシティ合成部３３に出力させるための制御信号をＦＦＴ信号切換部３１に出力する。
【００３１】
ダイバーシティ合成部３３は、第１入力端子が第１受信部１０のＦＦＴ部１０３の出力端子と接続され、第２入力端子がＦＦＴ信号切換部３１の出力端子と接続され、出力端子が第１復調部１２の入力端子と接続される。ダイバーシティ合成部３３は、ＦＦＴ信号切換部３１が第２受信部２０から入力される放送信号を出力する場合、第１受信部１０が出力する放送信号と、第２受信部２０が出力する放送信号とを合成し、合成した放送信号を第１復調部１２に出力する。ダイバーシティ合成部３３は、ＦＦＴ信号切換部３１が第２受信部２０のＦＦＴ部２０３が出力する放送信号を出力しない場合、第１受信部１０が出力する放送信号を第１復調部１２に出力する。
【００３２】
第１復調部１２は、ダイバーシティ合成部３３から入力される放送信号を復調し、復調した放送信号を第１ＭＰＥＧデコーダ１３に出力する。第１ＭＰＥＧデコーダ１３は、入力される放送信号をデコードし、ビデオ信号を生成する。そして、生成したビデオ信号を第１映像信号切換部１４に出力する。
【００３３】
第２復調部２２は、第２受信部２０のＦＦＴ部２０３から入力される放送信号を復調し、復調した放送信号を第２ＭＰＥＧデコーダ２３に出力する。第２ＭＰＥＧデコーダ２３は、入力される放送信号をデコードし、ビデオ信号を生成する。そして、生成したビデオ信号を第２映像信号切換部２４に出力する。
【００３４】
また、第２復調部２２は、復調した放送信号が再生可能か否かの判断に用いる再生可否信号をマルチチャンネル制御部３５に出力する。再生可否信号は、復調した放送信号のエラー率、たとえばＢＥＲ（Ｂｉｔ  Ｅｒｒｏｒ  Ｒａｔｅ）またはＭＥＲ（Ｍｏｄｕｌａｔｉｏｎ  Ｅｒｒｏｒ  Ｒａｔｅ）である。マルチチャンネル制御部３５は、第２復調部２２から入力される再生可否信号に基づいて、第２復調部２２が復調した放送信号が再生可能か否かを判断する。具体的には、ＢＥＲまたはＭＥＲが所定のしきい値を超えなければ、再生不可と判断し、そうでなければ再生可と判断する。しきい値は、例えば、２＊１０＾（−４）とするのが好ましい。畳み込み復号後のビット誤り率が、２＊１０＾（−４）に抑えられると、理論的にはリードソロモン復号後のビット誤り率を擬似エラーフリーと呼ばれるくらいに小さく抑えることができるからである。ＢＥＲは、畳み込み復号後の信号を評価するための値である。このため、ＢＥＲを用いる場合には、放送信号の再生可否を厳密に判断することができる。一方、ＭＥＲは、ＯＦＤＭ復調後の信号を評価するための値であるが、ＭＥＲを用いて映像の再生可否を簡易的に判断することができる。ＭＥＲは、デジタル放送波のデータシンボル座標のバラツキを数値化した値であり、ノイズや歪みの影響が少なく受信状態が良好であるほど大きな値となり（単位はｄＢ）、伝送路におけるノイズやひずみの程度がわかる。ＭＥＲを用いてフルセグ放送信号の再生可否を判断する場合、再生可能なＭＥＲの最低値は２０ｄＢであり、好ましくは２５ｄＢ以上である。また、再生可否を、復調した放送信号のエラー率で判断するようにしてもよい。
【００３５】
１チャンネルの放送信号が、高画質の放送信号と低画質の放送信号を含む場合がある。例えば、１チャンネルの放送信号を、複数のセグメントに分割し、低画質の放送信号に１セグメントを割当て、残りのすべてのセグメントを高画質の放送信号に割当てる場合である。ここでは、低画質の放送信号をワンセグ放送信号といい、高画質の放送信号をフルセグ放送信号という。この場合、第２復調部２２は、復調した放送信号のうち高画質の部分が再生可能か否かを示す高画質部分の再生可否信号と、低画質の部分が再生可能か否かを示す低画質部分の再生可否信号とをマルチチャンネル制御部３５に出力する。マルチチャンネル制御部３５は、後述する優先モード設定部３９により画質優先モードがＯＮに設定されている場合には、第２復調部２２から入力される高画質の部分の再生可否信号に基づいて、第２復調部２２が復調した放送信号が再生可能か否かを判断し、優先モード設定部３９により画質優先モードがＯＦＦに設定されている場合には、第２復調部２２から入力される低画質の部分の再生可否信号に基づいて、第２復調部２２が復調した放送信号が再生可能か否かを判断する。
【００３６】
第１映像信号切換部１４は、第１ＭＰＥＧデコーダ１３からビデオ信号が入力され、第１出力端子が第１ディスプレイ１５に接続され、第２出力端子が第２ディスプレイ２５に接続され、マルチチャンネル制御部３５により制御される。第１映像信号切換部１４は、マルチチャンネル制御部３５から入力される制御信号に従って、ビデオ信号の出力先を、第１ディスプレイ１５のみとする場合、第２ディスプレイ２５のみとする場合、または第１ディスプレイ１５および第２ディスプレイ２５とする場合のいずれかに切換える。
【００３７】
第２映像信号切換部２４は、第２ＭＰＥＧデコーダ２３からビデオ信号が入力され、第１出力端子が第１ディスプレイ１５に接続され、第２出力端子が第２ディスプレイ２５に接続され、マルチチャンネル制御部３５により制御される。第１映像信号切換部１４は、マルチチャンネル制御部３５から入力される制御信号に従って、ビデオ信号の出力先を、第１ディスプレイ１５のみとする場合、第２ディスプレイ２５のみとする場合、または第１ディスプレイ１５および第２ディスプレイ２５とする場合のいずれかに切換える。
【００３８】
マルチチャンネル制御部３５は、ビデオ信号を第１ディスプレイ１５に出力させるための制御信号を第１映像信号切換部１４に出力している場合、第２映像信号切換部２４にはビデオ信号を第１ディスプレイ１５に出力させるための制御信号を出力しない。逆に、マルチチャンネル制御部３５は、ビデオ信号を第１ディスプレイ１５に出力させるための制御信号を第２映像信号切換部２４に出力している場合、第１映像信号切換部１４にはビデオ信号を第１ディスプレイ１５に出力させるための制御信号を出力しない。また、マルチチャンネル制御部３５は、ビデオ信号を第２ディスプレイ２５に出力させるための制御信号を第１映像信号切換部１４に出力している場合、第２映像信号切換部２４にはビデオ信号を第２ディスプレイ２５に出力させるための制御信号を出力しない。逆に、マルチチャンネル制御部３５は、ビデオ信号を第２ディスプレイ２５に出力させるための制御信号を第２映像信号切換部２４に出力している場合、第１映像信号切換部１４にはビデオ信号を第２ディスプレイ２５に出力させるための制御信号を出力しない。すなわち、第１ディスプレイ１５と第２ディスプレイ２５は、第１映像信号切換部１４および第２映像信号切換部２４のいずれか一方からビデオ信号が入力される。
【００３９】
操作部４１は、ユーザによる操作の入力を受け付けるための、キーボード、マウス、またはタッチパネルである。また、操作部４１は、放送受信装置１と別体のリモートコントローラであってもよい。ユーザは、操作部４１に複数のチャンネルのうちからいずれを選択するかの指示、第１ディスプレイ１５および第２ディスプレイ２５のいずれに映像を表示するかの指示および第１ディスプレイ１５および第２ディスプレイ２５それぞれに表示する放送信号のチャンネルを指定する指示を入力可能である。操作部４１は、ユーザが入力する指示を受け付け、受け付けた指示をマルチチャンネル制御部３５に出力する。
【００４０】
優先モード設定部３９は、画質優先モードをＯＮまたはＯＦＦのいずれかに設定する。優先モード設定部３９は、ユーザが操作部４１に入力する指示を受け付け、画質優先モードをＯＮまたはＯＦＦのいずれかに設定する。優先モード設定部３９は、ＯＮまたはＯＦＦのいずれかに設定された画質優先モードをマルチチャンネル制御部３５に出力する。
【００４１】
マルチチャンネル制御部３５は、操作部４１から第１チャンネルを選択する指示を受け付けると、第１受信部１０および第２受信部２０に第１チャンネルを選択する指示を含む制御信号を出力し、ＦＦＴ信号切換部３１に放送信号をダイバーシティ合成部３３に出力させるための制御信号を出力する。これにより、第１受信部１０および第２受信部２０それぞれが、第１チャンネルの放送信号を出力し、ダイバーシティ合成部３３は、第１受信部１０および第２受信部２０がそれぞれ出力する放送信号を合成する。ダイバーシティ合成部３３が合成した放送信号は、第１復調部１２で復調され、第１ＭＰＥＧデコーダ１３でデコードされ、第１チャンネルのビデオ信号が第１映像信号切換部１４に入力される。その結果、ユーザが操作部４１に第１ディスプレイ１５および第２ディスプレイ２５のいずれかまたは双方を選択する指示を入力すれば、第１ディスプレイ１５および第２ディスプレイ２５のうち選択されたものに第１チャンネルの放送信号の映像が出力される。ここで、ユーザが操作部４１に第１ディスプレイ１５および第２ディスプレイ２５の双方を選択する指示を入力したとすれば、マルチチャンネル制御部３５は、第１映像信号切換部１４にビデオ信号を第１ディスプレイ１５および第２ディスプレイ２５の双方に出力させるための制御信号を出力する。
【００４２】
マルチチャンネル制御部３５は、操作部４１から第１チャンネルに加えて第２チャンネルを選択する指示を受け付けると、第２復調部２２が出力する再生可否信号に基づいて、第２復調部２２が復調した放送信号が再生可能か否かを判断する。マルチチャンネル制御部３５が、操作部４１から受け付ける指示のうち、第１チャンネルに加えて第２チャンネルを選択する指示を、特にマルチチャンネル出力指示という。
【００４３】
マルチチャンネル制御部３５は、第２復調部２２が復調した放送信号が再生不可と判断した場合、マルチチャンネル出力指示に対するエラー処理を実行する。エラー処理は、例えば、警告音を鳴らす、エラーメッセージを表示するまたはエラーメッセージを音声出力する。
【００４４】
マルチチャンネル制御部３５は、第２復調部２２が復調した放送信号が再生可と判断した場合、ＦＦＴ信号切換部３１に第２受信部２０のＦＦＴ部２０３から入力される放送信号をダイバーシティ合成部３３に出力させないための制御信号を出力し、第１受信部１０に第２チャンネルを選択する指示を含む制御信号を出力する。
【００４５】
これにより、第１受信部１０が第２チャンネルの放送信号を出力し、ダイバーシティ合成部３３は、第１受信部１０が出力する第２チャンネルの放送信号を出力する。ダイバーシティ合成部３３が出力する第２チャンネルの放送信号は、第１復調部１２で復調され、第１ＭＰＥＧデコーダ１３でデコードされ、第２チャンネルのビデオ信号が第１映像信号切換部１４に入力される。このため、第１ディスプレイ１５および第２ディスプレイ２５のいずれかに、第２チャンネルの放送信号の映像を出力することができる。
【００４６】
一方、第２受信部２０は、第１チャンネルの放送信号を継続して出力する。第２受信部２０が出力する第１チャンネルの放送信号は、第２復調部２２で復調され、第２ＭＰＥＧデコーダ２３でデコードされ、第１チャンネルのビデオ信号が第２映像信号切換部２４に入力される。このため、第１ディスプレイ１５および第２ディスプレイ２５のいずれかに第１チャンネルの放送信号の映像を出力することができる。
【００４７】
例えば、第１ディスプレイ１５および第２ディスプレイ２５の双方に第１チャンネルの放送信号が出力されている状態で、第２チャンネルの放送信号の出力先として第２ディスプレイ２５を選択する指示を含むマルチチャンネル出力指示をユーザが操作部４１に入力したとすれば、マルチチャンネル制御部３５は、第１映像信号切換部１４にビデオ信号を第２ディスプレイ２５に出力させるための制御信号を出力するとともに、第２映像信号切換部２４にビデオ信号を第１ディスプレイ１５に出力させるための制御信号を出力する。これにより、第１ディスプレイ１５に第１チャンネルの放送信号の映像が継続して出力されるとともに、第２ディスプレイ２５に第２チャンネルの放送信号の映像が出力される。
【００４８】
図２は、マルチチャンネル出力処理の流れの一例を示す第１のフローチャートである。このマルチチャンネル出力処理は、マルチチャンネル制御部３５が、それが備えるＲＯＭ（Ｒｅａｄ  Ｏｎｌｙ  Ｍｅｍｏｒｙ）に記憶されたマルチチャンネル出力プログラムを実行することにより、マルチチャンネル制御部３５により実行される処理である。図２を参照して、マルチチャンネル制御部３５は、マルチチャンネル出力指示を受け付けたか否かを判断する（ステップＳ０１）。ユーザが操作部４１にマルチチャンネル出力指示を入力すると、マルチチャンネル制御部３５は、操作部４１よりマルチチャンネル出力指示を受け付ける。マルチチャンネル出力指示は、現在選択されている第１チャンネルに加えて第２チャンネルを選択する指示であり、第２チャンネルを識別するための情報を含む。
【００４９】
次のステップＳ０２においては、第１チャンネルの放送信号をダイバーシティ合成して、出力中か否かを判断する。第１チャンネルの放送信号をダイバーシティ合成して、出力中であれば処理をステップＳ０３に進めるが、そうでなければ処理をＳ０８に進める。ステップＳ０８においては、エラー処理を実行する。処理をステップＳ０２からステップＳ０８に進める場合、既に２チャンネルの放送信号を受信している場合であり、この場合には、さらにチャンネルを追加することができないため、警告音またはエラーメッセージを表示または音声出力する。
【００５０】
ステップＳ０３においては、画質優先モードを判断する。画質優先モードがＯＮに設定されていれば処理をステップＳ０４に進め、ＯＦＦに設定されていれば処理をステップＳ０５に進める。ステップＳ０４においては、第２受信部２０が復調した放送信号の高画質部分のエラー率がしきい値Ｅ１を下回るか否かを判断する。第２受信部２０が復調した放送信号の高画質部分のエラー率は、第２受信部２０から入力される高画質部分の再生可否信号である。高画質部分の再生可否信号が所定の値Ｅ１を下回る場合は、処理をステップＳ０６に進め、そうでなければ処理をステップＳ０８に進める。
【００５１】
一方、ステップＳ０５においては、第２受信部２０が復調した放送信号の低画質部分のエラー率がしきい値Ｅ２を下回るか否かを判断する。第２受信部２０が復調した放送信号の低画質部分のエラー率は、第２受信部２０から入力される低画質部分の再生可否信号である。低画質部分の再生可否信号が所定の値Ｅ２を下回る場合は、処理をステップＳ０６に進め、そうでなければ処理をステップＳ０８に進める。
【００５２】
処理をステップＳ０４またはステップＳ０５からステップＳ０８に進める場合、第２復調部２２が復調する放送信号だけで、ユーザの所望する画質で放送信号を再生できない場合である。この場合には、先に選択している第１チャンネルの放送信号の再生を継続させるため、マルチチャンネル出力指示に対するエラー処理を実行する。例えば、第２チャンネルの視聴ができないことをユーザに知らせるために、警告音を出力する、エラーメッセージを表示する、またはエラーメッセージを音声出力する。
【００５３】
ステップＳ０６においては、ダイバーシティ合成を中止する。具体的には、ＦＦＴ信号切換部３１に第２受信部２０のＦＦＴ部２０３から入力される放送信号をダイバーシティ合成部３３に出力させないための制御信号を出力する。そして、次のステップＳ０７において、第１受信部１０で第２チャンネルの放送信号を受信するように切換える。具体的には、第１受信部１０に第２チャンネルを選択する指示を含む制御信号を出力する。これにより、第１受信部１０が、第２チャンネルの放送信号を出力し、ダイバーシティ合成部３３は、第１受信部１０が出力する第２チャンネルの放送信号を出力する。ダイバーシティ合成部３３が出力する第２チャンネルの放送信号は、第１復調部１２で復調され、第１ＭＰＥＧデコーダ１３でデコードされ、第２チャンネルのビデオ信号が第１映像信号切換部１４に入力される。このため、第１ディスプレイ１５および第２ディスプレイ２５のいずれかに第２チャンネルの放送信号の映像を出力することができる。
【００５４】
一方、第２受信部２０は、第１チャンネルの放送信号を継続して出力しているので、第２受信部２０が出力する第１チャンネルの放送信号は、第２復調部２２で復調され、第２ＭＰＥＧデコーダ２３でデコードされ、第１チャンネルのビデオ信号が第２映像信号切換部２４に入力される。このため、第１ディスプレイ１５および第２ディスプレイ２５のいずれかに第１チャンネルの放送信号の映像を継続して出力することができる。
【００５５】
本実施の形態における放送受信装置１は、第１復調部１２がダイバーシティ合成部３３により第１受信部１０と第２受信部２０が出力する放送信号を合成した放送信号を復調している最中に、第２復調部２２が第２受信部２０の出力する放送信号を復調し、復調された放送信号のエラー率をしきい値と比較することにより、第２受信部２０が出力する放送信号が再生可能か否かを判断する。そして、第２受信部２０の出力する放送信号が再生可能と判断されたとき、第２受信部２０に第１チャンネルの受信を継続させ、第１受信部１０に第２チャンネルの放送信号を受信させる。このため、第２受信部２０が再生可能な第１チャンネルの放送信号を出力するので、第１チャンネルの放送信号の映像を途絶えることなく出力することができる。また、第１受信部１０が第２チャンネルの放送信号を出力するので、第２チャンネルの放送信号の映像を出力することができる。
【００５６】
一方、第２受信部２０の出力する放送信号が再生不可能と判断されたとき、第１受信部１０および第２受信部２０により第１チャンネルの受信が継続されるので、第１チャンネルの放送信号の映像の出力を継続することができる。
【００５７】
また、画質優先モードがＯＮに設定されている場合は、高画質の放送信号のＢＥＲまたはＭＥＲが所定の値以下であれば再生可能と判断し、画質優先モードがＯＦＦに設定されている場合、低画質の放送信号のＢＥＲまたはＭＥＲが所定の値以下であれば再生可能と判断するので、高画質では複数チャンネルを再生できない場合であっても、画質を犠牲にした低画質であれば複数チャンネルを再生することができる。このため、ユーザの要望に応じて、画質を優先するか画質を犠牲にして再生するチャンネル数を優先するかを切換えることができる。
【００５８】
＜第２の実施の形態＞
図３は、第２の実施の形態における放送受信装置の回路構成を示すブロック図である。図３を参照して、放送受信装置１Ａは、第１の実施の形態における放送受信装置１と異なる点は、第２復調部２２に代えて時分割復調部２２Ａを備える点、記憶部３７をさらに備える点、マルチチャンネル制御部３５Ａの機能が変更された点である。その他の構成は、第１の実施の形態における放送受信装置１と同じなのでここでは説明を繰り返さない。
【００５９】
時分割復調部２２Ａは、第１入力端子が第１受信部１０のＦＦＴ部１０３の出力端子と接続され、第２入力端子が第２受信部２０のＦＦＴ部２０３の出力端子と接続され、マルチチャンネル制御部３５Ａにより制御される。時分割復調部２２Ａは、マルチチャンネル制御部３５Ａから入力される制御信号に従って、第１受信部１０から入力される放送信号と、第２受信部２０から入力される放送信号のいずれかを復調し、復調した放送信号を第２ＭＰＥＧデコーダ２３に出力する。
【００６０】
時分割復調部２２Ａは、マルチチャンネル制御部３５Ａから入力される制御信号が時分割モードを示す場合、第１の期間に第１受信部１０から入力される放送信号を復調し、第２の期間に第２受信部２０から入力される放送信号を復調する。さらに、時分割復調部２２Ａは、復調した放送信号が再生可能か否かを判断し、第１受信部１０および第２受信部２０別の再生可否を示す再生可否データを生成し、記憶部３７に格納する。１チャンネルの放送信号が、高画質の放送信号と低画質の放送信号を含む場合、時分割復調部２２Ａは、復調した放送信号のうち高画質の部分と低画質分それぞれが再生可能か否かを判断し、高画質部分の再生可否と、低画質の部分の再生可否を示す再生可否データを生成し、記憶部３７に格納する。再生可否データは、過去の再生可否を示す履歴である。
【００６１】
また、時分割復調部２２Ａは、マルチチャンネル制御部３５Ａから入力される制御信号が継続復調モードを示す場合、第２受信部２０から入力される放送信号を復調し、復調した放送信号を第２ＭＰＥＧデコーダ２３に出力する。
【００６２】
マルチチャンネル制御部３５Ａは、操作部４１から第１チャンネルを選択する指示を受け付けると、第１受信部１０および第２受信部２０に第１チャンネルを選択する指示を含む制御信号を出力し、ＦＦＴ信号切換部３１に放送信号をダイバーシティ合成部３３に出力させるための制御信号を出力し、時分割復調部２２Ａに時分割モードを示す制御信号を出力する。これにより、第１受信部１０および第２受信部２０それぞれが、第１チャンネルの放送信号を出力し、ダイバーシティ合成部３３は、第１受信部１０および第２受信部２０がそれぞれ出力する放送信号を合成する。
【００６３】
ダイバーシティ合成部３３が合成した放送信号は、第１復調部１２で復調され、第１ＭＰＥＧデコーダ１３でデコードされ、第１チャンネルのビデオ信号が第１映像信号切換部１４に入力される。このため、第１ディスプレイ１５および第２ディスプレイ２５のいずれか、または第１ディスプレイ１５および第２ディスプレイ２５の双方に、第１チャンネルの放送信号の映像を出力することができる。
【００６４】
時分割復調部２２Ａは、第１の期間に第１受信部１０のＦＦＴ部１０３から入力される放送信号を復調し、第２の期間に第２受信部２０のＦＦＴ部２０３が出力する放送信号を復調するとともに、復調した放送信号から再生可否データを生成し、記憶部３７に格納する。これにより、記憶部３７に再生可否テーブルが記憶される。
【００６５】
図４は、記憶部に記憶される再生可否信号テーブルの一例を示す図である。図４を参照して、再生可否テーブルは、第１受信部１０および第２受信部２０それぞれについて、高画質の放送信号（フルセグ放送信号）および低画質の放送信号（ワンセグ放送信号）ごとの各期間における再生可否を示す再生可否データを含む。例えば、期間１においては、第１受信部１０が受信するチャンネルの低画質の放送信号（ワンセグ放送信号）は再生可能であるが、高画質の放送信号（フルセグ放送信号）は再生不可であることを示す。また、第２受信部２０が受信するチャンネルの高画質の放送信号（フルセグ放送信号）および低画質の放送信号（ワンセグ放送信号）はともにいずれの期間においても再生可能であることを示す。
【００６６】
図３に戻って、マルチチャンネル制御部３５Ａは、操作部４１から第１チャンネルに加えて第２チャンネルを選択するマルチチャンネル出力指示を受け付けると、記憶部３７に記憶された再生可否データを読出し、再生可否データに基づいて、第１受信部１０が出力する放送信号または第２受信部２０が出力する放送信号の少なくとも一方が再生可能か否かを判断する。マルチチャンネル制御部３５Ａは、優先モード設定部３９により画質優先モードがＯＮに設定されている場合、再生可否データの高画質の放送信号（フルセグ放送信号）の再生可否データが再生可能であるか否かを判断し、優先モード設定部３９により画質優先モードがＯＦＦに設定されている場合、再生可否データの低画質の放送信号（ワンセグ放送信号）の再生可否データが再生可能であるか否かを判断する。再生可否データの所定の期間内の再生可否を用いるようにしてもよい。
【００６７】
マルチチャンネル制御部３５Ａは、再生可否データに基づいて、第１受信部１０が出力する放送信号または第２受信部２０が出力する放送信号の少なくとも一方が再生可能と判断すると、第１受信部１０および第２受信部２０のうちから再生可能な放送信号を出力するものを、第１チャンネルを受信するための継続受信部に決定する。第１受信部１０および第２受信部２０がともに再生可能であれば、任意の一方を継続受信部に決定する。ここでは、第２受信部２０を継続受信部として決定した場合を例に説明する。
【００６８】
そして、マルチチャンネル制御部３５Ａは、ＦＦＴ信号切換部３１に第２受信部２０のＦＦＴ部２０３から入力される放送信号をダイバーシティ合成部３３に出力させないための制御信号を出力する。さらにマルチチャンネル制御部３５Ａは、第１受信部１０および第２受信部２０のうち継続受信部以外の受信部、ここでは第１受信部１０に第２チャンネルを選択する指示を含む制御信号を出力する。これにより、第１受信部１０が、第２チャンネルの放送信号を出力し、ダイバーシティ合成部３３は、第１受信部１０が出力する第２チャンネルの放送信号を出力する。ダイバーシティ合成部３３が出力する第２チャンネルの放送信号は、第１復調部１２で復調され、第１ＭＰＥＧデコーダ１３でデコードされ、第２チャンネルのビデオ信号が第１映像信号切換部１４に入力される。このため、第１ディスプレイ１５および第２ディスプレイ２５のいずれかに、第２チャンネルの放送信号を出力することができる。
【００６９】
さらに、マルチチャンネル制御部３５Ａは、時分割復調部２２Ａに継続復調モードを示す制御信号を出力する。これにより、時分割復調部２２Ａは、第２受信部２０が出力する第１チャンネルの放送信号を復調し、復調した第１チャンネルの放送信号を第２ＭＰＥＧデコーダ２３に出力する。第２ＭＰＥＧデコーダ２３は、デコードして生成した第１チャンネルのビデオ信号を第２映像信号切換部２４に入力する。このため、第１ディスプレイ１５および第２ディスプレイ２５のいずれかに、第１チャンネルの放送信号を出力することができる。
【００７０】
例えば、第１ディスプレイ１５および第２ディスプレイ２５の双方に第１チャンネルの放送信号が出力されている状態で、第２チャンネルの放送信号の出力先として第２ディスプレイ２５を選択する指示を含むマルチチャンネル出力指示をユーザが操作部４１に入力したとすれば、マルチチャンネル制御部３５Ａは、第１映像信号切換部１４にビデオ信号を第２ディスプレイ２５に出力させるための制御信号を出力するとともに、第２映像信号切換部２４にビデオ信号を第１ディスプレイ１５に出力させるための制御信号を出力する。これにより、第１ディスプレイ１５には、第１チャンネルの放送信号の映像が継続して出力されるとともに、第２ディスプレイ２５には、第２チャンネルの放送信号の映像が出力される。
【００７１】
図５は、再生可否データ保存処理の流れの一例を示す第１の図である。再生可否データ保存処理は、時分割復調部２２Ａが、それが備えるＲＯＭに記憶された再生可否データ保存プログラムを実行することにより、時分割復調部２２Ａで実行される処理である。また、再生可否データ保存処理は、マルチチャンネル制御部３５Ａから時分割モードを示す制御信号が入力された後、次に継続復調モードを示す制御信号が入力されるまで、実行される。
【００７２】
図５を参照して、時分割復調部２２Ａは、第１受信部１０の映像信号を選択する（ステップＳ１１）。具体的には、第１受信部１０が出力する放送信号を処理対象とする映像信号として選択する。そして、選択した映像信号の状態をチェックする（ステップＳ１２）。次のステップＳ１３においては、第２受信部２０の映像信号を選択する。具体的には、第２受信部２０のＦＦＴ部２０３が出力する放送信号を処理対象とする映像信号として選択する。そして、選択した映像信号の状態をチェックし（ステップＳ１４）、処理をステップＳ１１に戻す。
【００７３】
図６は、信号状態チェック処理の流れの一例を示すフローチャートである。信号状態チェック処理は、図５のステップＳ１２またはステップＳ１４において実行される処理である。図６を参照して、再生可否データ保存処理のステップＳ１１またはステップＳ１３において選択された映像信号の高画質部分を復調する（ステップＳ２１）。そして、所定時間Ｔ１が経過したか否かを判断し（ステップＳ２２）、所定時間Ｔ１経過したならば処理をステップＳ２３に進めるが、そうでなければ処理をステップＳ２１に戻す。すなわち、所定時間Ｔ１の間、映像信号の高画質部分が復調される。ステップＳ２３においては、復調した映像信号の高画質部分のエラー率がしきい値Ｅ１を下回るか否かを判断する。エラー率は、ＢＥＲまたはＭＥＲである。映像信号の高画質部分のエラー率がしきい値Ｅ１を下回る場合は、処理をステップＳ２４に進め、そうでなければ処理をステップＳ２５に進める。ステップＳ２４においては、高画質部分の再生可を示す再生可否データを記憶部３７に記憶する。一方、ステップＳ２５においては、高画質部分の再生不可を示す再生可否データを記憶部３７に記憶する。
【００７４】
ステップＳ２６においては、再生可否データ保存処理のステップＳ１１またはステップＳ１３において選択された映像信号の低画質部分を復調する。そして、所定時間Ｔ２が経過したか否かを判断する（ステップＳ２７）。所定時間Ｔ２経過したならば処理をステップＳ２８に進めるが、そうでなければ処理をステップＳ２６に戻す。すなわち、所定時間Ｔ２の間、映像信号の低画質部分が復調される。ステップＳ２８においては、復調した映像信号の低画質部分のエラー率がしきい値Ｅ２を下回るか否かを判断する。エラー率は、ＢＥＲまたはＭＥＲである。映像信号の低画質部分のエラー率がしきい値Ｅ２を下回る場合は、処理をステップＳ２９に進め、そうでなければ処理をステップＳ３０に進める。ステップＳ２９においては、低画質部分の再生可を示す再生可否データを記憶部３７に記憶する。一方、ステップＳ３０においては、低画質部分の再生不可を示す再生可否データを記憶部３７に記憶する。
【００７５】
図７は、マルチチャンネル出力処理の流れの一例を示す第２のフローチャートである。このマルチチャンネル出力処理は、マルチチャンネル制御部３５Ａが、それが備えるＲＯＭ（Ｒｅａｄ  Ｏｎｌｙ  Ｍｅｍｏｒｙ）に記憶されたマルチチャンネル出力プログラムを実行することにより、マルチチャンネル制御部３５Ａにより実行される処理である。図７を参照して、マルチチャンネル制御部３５Ａは、マルチチャンネル出力指示を受け付けたか否かを判断する（ステップＳ４１）。
【００７６】
次のステップＳ４２においては、第１チャンネルの放送信号をダイバーシティ合成して、出力中か否かを判断する。第１チャンネルの放送信号をダイバーシティ合成して、出力中であれば処理をステップＳ４３に進めるが、そうでなければ処理をＳ５７に進める。ステップＳ５７においては、エラー処理を実行する。処理をステップＳ４２からステップＳ５７に進める場合、既に２チャンネルの放送信号を受信している場合であり、この場合には、さらにチャンネルを追加することができないため、警告音またはエラーメッセージを表示または音声出力する。
【００７７】
ステップＳ４３においては、記憶部３７から再生可否データを読み出す。そして次のステップＳ４４において、画質優先モードを判断する。画質優先モードがＯＮに設定されていれば処理をステップＳ４５に進め、画質優先モードがＯＦＦに設定されていれば処理をステップＳ５１に進める。ステップＳ４５においては、第１受信部１０の高画質部分が再生可能か否かを判断する。具体的には、ステップＳ４３で読み出した再生可否データのうち第１受信部１０に対応する再生可否データの高画質の放送信号（フルセグ放送信号）の再生可否を参照する。例えば、所定期間内の再生可否データの全てが再生可であれば再生可と判断し、所定期間内の再生可否データで１つでも再生不可であれば再生不可と判断する。再生可能と判断したならば、処理をステップＳ４６に進め、そうでなければ処理をステップＳ４８に進める。
【００７８】
ステップＳ４６においては、ダイバーシティ合成を中止する。具体的には、ＦＦＴ信号切換部３１に第２受信部２０から入力される放送信号をダイバーシティ合成部３３に出力させないための制御信号を出力するとともに、時分割復調部２２Ａに継続復調モードを示す制御信号を出力する。これにより、第１受信部１０が出力する第１チャンネルの放送信号は、第１復調部１２で復調され、第１ＭＰＥＧデコーダ１３でデコードされ、第１チャンネルのビデオ信号が第１映像信号切換部１４に入力される。このため、第１チャンネルの放送信号の映像を第１ディスプレイ１５および第２ディスプレイのいずれかに継続して出力することができる。
【００７９】
そして、次のステップＳ４７において、第２受信部２０で第２チャンネルの放送信号を受信するように切換える。具体的には、第２受信部２０に第２チャンネルを選択する指示を含む制御信号を出力する。これにより、第２受信部２０が、第２チャンネルの放送信号を出力し、第２チャンネルの放送信号は、時分割復調部２２Ａで復調され、第２ＭＰＥＧデコーダ２３でデコードされ、第２チャンネルのビデオ信号が第２映像信号切換部２４に入力される。このため、第２チャンネルの放送信号の映像を第１ディスプレイ１５および第２ディスプレイのいずれかに出力することができる。
【００８０】
ステップＳ４８においては、第２受信部２０の高画質部分が再生可能か否かを判断する。具体的には、ステップＳ４３で読み出した再生可否データのうち第２受信部２０に対応する再生可否データの高画質の放送信号（フルセグ放送信号）の再生可否を参照する。再生可能と判断したならば、処理をステップＳ４９に進め、そうでなければ処理をステップＳ５７に進める。ステップＳ４９においては、ダイバーシティ合成を中止する。具体的には、ＦＦＴ信号切換部３１に第２受信部２０から入力される放送信号をダイバーシティ合成部３３に出力させないための制御信号を出力するとともに、時分割復調部２２Ａに継続復調モードを示す制御信号を出力する。これにより、第２受信部１０が出力する第１チャンネルの放送信号は、時分割復調部２２Ａで復調され、第２ＭＰＥＧデコーダ２３でデコードされ、第１チャンネルのビデオ信号が第２映像信号切換部２４に入力される。このため、第１チャンネルの放送信号の映像を第１ディスプレイ１５および第２ディスプレイのいずれかに継続して出力することができる。
【００８１】
そして、次のステップＳ５０において、第１受信部１０で第２チャンネルの放送信号を受信するように切換える。具体的には、第１受信部１０に第２チャンネルを選択する指示を含む制御信号を出力する。これにより、第１受信部１０が、第２チャンネルの放送信号を出力し、ダイバーシティ合成部３３は、第１受信部１０が出力する第２チャンネルの放送信号を出力する。ダイバーシティ合成部３３が出力する第２チャンネルの放送信号は、第１復調部１２で復調され、第１ＭＰＥＧデコーダ１３でデコードされ、第２チャンネルのビデオ信号が第１映像信号切換部１４に入力される。このため、第２チャンネルの放送信号の映像を第１ディスプレイ１５および第２ディスプレイのいずれかに出力することができる。
【００８２】
処理をステップＳ４８からステップＳ５７に進める場合、第１受信部１０および第２受信部２０それぞれが出力する放送信号だけで、ユーザの所望する高画質で放送信号を再生できない場合である。この場合には、先に選択している第１チャンネルの放送信号の再生を継続させるため、マルチチャンネル出力指示に対するエラー処理を実行する。例えば、第２チャンネルの視聴ができないことをユーザに知らせるために、警告音を出力する、またはエラーメッセージを表示する、またはエラーメッセージを音声出力する。
【００８３】
ステップＳ５１においては、第１受信部１０の低画質部分が再生可能か否かを判断する。具体的には、ステップＳ４３で読み出した再生可否データのうち第１受信部１０に対応する再生可否データの低画質の放送信号（ワンセグ放送信号）の再生可否を参照する。再生可能と判断したならば、処理をステップＳ５２に進め、そうでなければ処理をステップＳ５４に進める。ステップＳ５２においては、ダイバーシティ合成を中止する。具体的には、ＦＦＴ信号切換部３１に第２受信部２０から入力される放送信号をダイバーシティ合成部３３に出力させないための制御信号を出力するとともに、時分割復調部２２Ａに継続復調モードを示す制御信号を出力する。これにより、第１受信部１０が出力する第１チャンネルの放送信号は、第１復調部１２で復調され、第１ＭＰＥＧデコーダ１３でデコードされ、第１チャンネルのビデオ信号が第１映像信号切換部１４に入力される。このため、第１チャンネルの放送信号の映像を第１ディスプレイ１５および第２ディスプレイのいずれかに継続して出力することができる。
【００８４】
そして、次のステップＳ５３において、第２受信部２０で第２チャンネルの放送信号を受信するように切換える。これにより、第２受信部２０が、第２チャンネルの放送信号を出力し、第２チャンネルの放送信号は、時分割復調部２２Ａで復調され、第２ＭＰＥＧデコーダ２３でデコードされ、第２チャンネルのビデオ信号が第２映像信号切換部２４に入力される。このため、第２チャンネルの放送信号の映像を第１ディスプレイ１５および第２ディスプレイのいずれかに出力することができる。
【００８５】
ステップＳ５４においては、第２受信部２０の低画質部分が再生可能か否かを判断する。具体的には、ステップＳ４３で読み出した再生可否データのうち第２受信部２０に対応する再生可否データの低画質の放送信号（ワンセグ放送信号）の再生可否を参照する。再生可能と判断したならば、処理をステップＳ５５に進め、そうでなければ処理をステップＳ５７に進める。ステップＳ５５においては、ダイバーシティ合成を中止する。具体的には、ＦＦＴ信号切換部３１に第２受信部２０から入力される放送信号をダイバーシティ合成部３３に出力させないための制御信号を出力するとともに、時分割復調部２２Ａに継続復調モードを示す制御信号を出力する。これにより、第２受信部１０が出力する第１チャンネルの放送信号は、時分割復調部２２Ａで復調され、第２ＭＰＥＧデコーダ２３でデコードされ、第１チャンネルのビデオ信号が第２映像信号切換部２４に入力される。このため、第１チャンネルの放送信号の映像を第１ディスプレイ１５および第２ディスプレイのいずれかに継続して出力することができる。
【００８６】
そして、次のステップＳ５６において、第１受信部１０で第２チャンネルの放送信号を受信するように切換える。これにより、第１受信部１０が、第２チャンネルの放送信号を出力し、ダイバーシティ合成部３３は、第１受信部１０が出力する第２チャンネルの放送信号を出力する。ダイバーシティ合成部３３が出力する第２チャンネルの放送信号は、第１復調部１２で復調され、第１ＭＰＥＧデコーダ１３でデコードされ、第２チャンネルのビデオ信号が第１映像信号切換部１４に入力される。このため、第２チャンネルの放送信号の映像を第１ディスプレイ１５および第２ディスプレイのいずれかに出力することができる。
【００８７】
処理をステップＳ５４からステップＳ５７に進める場合、第１受信部１０および第２受信部２０それぞれが出力する放送信号だけで、ユーザの所望する低画質で放送信号を再生できない場合である。この場合には、先に選択している第１チャンネルの放送信号の再生を継続させるため、マルチチャンネル出力指示に対するエラー処理を実行する。例えば、第２チャンネルの視聴ができないことをユーザに知らせるために、警告音を出力する、またはエラーメッセージを表示する、またはエラーメッセージを音声出力する。
【００８８】
本実施の形態における放送受信装置１Ａは、第１復調部１２がダイバーシティ合成部３３により第１受信部１０と第２受信部２０が出力する放送信号を合成した放送信号を復調している最中に、時分割復調部２２Ａが第１受信部１０および第２受信部２０それぞれが出力する放送信号を時分割で復調し、復調された放送信号のエラー率をしきい値と比較することにより、第１受信部１０および第２受信部２０それぞれが出力する放送信号が再生可能か否かを判断する。そして、第１受信部１０および第２受信部２０それぞれが出力する放送信号の少なくとも一方が再生可能と判断されたとき、第１受信部１０および第２受信部２０のうち再生可能な１つの継続受信部を決定し、継続受信部に第１チャンネルの受信を継続させ、継続受信部以外の受信部に第２チャンネルの放送信号を受信させる。このため、継続受信部が再生可能な第１チャンネルの放送信号を出力するので、第１チャンネルの放送信号の映像を途絶えることなく出力することができる。また、継続受信部以外の受信部が第２チャンネルの放送信号を出力するので、第２チャンネルの放送信号の映像を出力することができる。
【００８９】
一方、第１受信部１０および第２受信部２０それぞれの出力する放送信号がともに再生不可能と判断されたとき、第１受信部１０および第２受信部２０により第１チャンネルの受信が継続されるので、第１チャンネルの放送信号の映像の出力を継続することができる。
【００９０】
＜第３の実施の形態＞
図８は、第３の実施の形態における放送受信装置の回路構成を示すブロック図である。図３を参照して、放送受信装置１Ｂは、第２の実施の形態における放送受信装置１Ａと異なる点は、第３受信部３０、第４受信部４０およびサブ合成部５０をさらに備える点、時分割復調部２２Ｂおよびマルチチャンネル制御部３５Ｂの機能を変更した点である。その他の構成は、第２の実施の形態における放送受信装置１Ａと同じなのでここでは説明を繰り返さない。
【００９１】
第３受信部３０および第４受信部４０は、第１受信部１０および第２受信部２０と、機能が同じなので、ここでは説明を繰り返さない。サブ合成部５０は、マルチチャンネル制御部３５により制御され、第１〜第４受信部１０，２０，３０，４０が出力する映像信号が入力される。
【００９２】
図９は、サブ合成部の詳細な構成を示すブロック図である。図９を参照して、サブ合成部５０は、第１合成部５０１と、第２合成部５０２と、アンテナ選択制御部５０３と、を含む。
【００９３】
第１合成部５０１は、第１入力端子が第１受信部１０のＦＦＴ部１０３の出力端子と接続され、第２入力端子が第２受信部２０のＦＦＴ部２０３の出力端子と接続され、第３入力端子が第３受信部３０のＦＦＴ部３０３の出力端子と接続され、第４入力端子が第４受信部４０のＦＦＴ部４０３の出力端子と接続され、出力端子がダイバーシティ合成部３３の第１の入力端子と接続されており、アンテナ選択制御部５０３により制御される。第１合成部５０１は、アンテナ選択制御部５０３から入力される切換信号に従って、第１〜第４受信部１０，２０，３０，４０のうちから２つを選択し、選択した２つの受信部が出力する放送信号をダイバーシティ合成し、合成した放送信号をダイバーシティ合成部３３に出力する。また、第１合成部５０１は、アンテナ選択制御部５０３から入力される切換信号が１つの受信部を選択することを示す場合、その受信部が出力する放送信号をそのままダイバーシティ合成部３３に出力する。
【００９４】
第２合成部５０２は、第１入力端子が第１受信部１０のＦＦＴ部１０３の出力端子と接続され、第２入力端子が第２受信部２０のＦＦＴ部２０３の出力端子と接続され、第３入力端子が第３受信部３０のＦＦＴ部３０３の出力端子と接続され、第４入力端子が第４受信部４０のＦＦＴ部４０３の出力端子と接続され、出力端子がＦＦＴ信号切換部３１の入力端子と接続されており、アンテナ選択制御部５０３により制御される。第１合成部５０１は、アンテナ選択制御部５０３から入力される切換信号に従って、第１〜第４受信部１０，２０，３０，４０のうちから２つを選択し、選択した２つの受信部が出力する放送信号をダイバーシティ合成し、合成した放送信号をＦＦＴ信号切換部３１に出力する。また、第１合成部５０１は、アンテナ選択制御部５０３から入力される切換信号が１つの受信部を選択することを示す場合、その受信部が出力する放送信号をそのままＦＦＴ信号切換部３１に出力する。
【００９５】
アンテナ選択制御部５０３は、マルチチャンネル制御部３５から入力される制御信号に従って、切換信号を第１合成部５０１および第２合成部５０２に出力する。アンテナ選択制御部５０３は、第１合成部５０１と第２合成部５０２とには、同じ切換信号を出力しない。すなわち、アンテナ選択制御部５０３は、第１合成部５０１が第１〜第４受信部１０，２０，３０，４０のうちから選択する２つの受信部とは異なる受信部を第２合成部５０２が選択するように、切換信号を第１合成部５０１および第２合成部５０２に出力する。これにより、第１〜第４受信部１０，２０，３０，４０がそれぞれ同一のチャンネルの放送信号を受信している場合、第１〜第４受信部１０，２０，３０，４０が出力する４つの放送信号を合成した放送信号が、ダイバーシティ合成部３３から出力される。
【００９６】
図８に戻って、時分割復調部２２Ｂは、第１入力端子が第１受信部１０のＦＦＴ部１０３の出力端子と接続され、第２入力端子が第２受信部２０のＦＦＴ部２０３の出力端子と接続され、第３入力端子が第３受信部３０のＦＦＴ部３０３の出力端子と接続され、第４入力端子が第４受信部４０のＦＦＴ部４０３の出力端子と接続され、第５入力端子がサブ合成部５０の第２合成部５０２の出力端子と接続され、マルチチャンネル制御部３５Ｂにより制御される。時分割復調部２２Ｂは、マルチチャンネル制御部３５Ｂから入力される制御信号に従って、第１受信部１０、第２受信部２０、第３受信部３０、第４受信部４０および第２合成部５０２からそれぞれ入力される放送信号のいずれかを復調する。
【００９７】
時分割復調部２２Ｂは、マルチチャンネル制御部３５Ｂから入力される制御信号が時分割モードを示す場合、第１の期間に第１受信部１０から入力される放送信号を復調し、第２の期間に第２受信部２０から入力される放送信号を復調し、第３の期間に第３受信部３０から入力される放送信号を復調し、第４の期間に第４受信部４０から入力される放送信号を復調する。さらに、時分割復調部２２Ｂは、復調した放送信号が再生可能か否かを判断し、第１受信部１０〜第４受信部４０別の再生可否を示す再生可否データを生成し、記憶部３７に格納する。１チャンネルの放送信号が、高画質の放送信号と低画質の放送信号を含む場合、時分割復調部２２Ｂは、復調した放送信号のうち高画質の部分と低画質分それぞれが再生可能か否かを判断し、高画質部分の再生可否を示す再生可否データと、低画質の部分の再生可否を示す再生可否データとを生成し、記憶部３７に格納する。再生可否データは、過去の再生可否を示す履歴である。
【００９８】
また、時分割復調部２２Ｂは、マルチチャンネル制御部３５Ｂから入力される制御信号が継続復調モードを示す場合、第２合成部５０２から入力される放送信号を復調し、復調した放送信号を第２ＭＰＥＧデコーダ２３に出力する。
【００９９】
マルチチャンネル制御部３５Ｂは、操作部４１から第１チャンネルを選択する指示を受け付けると、第１〜第４受信部１０，２０，３０，４０それぞれに第１チャンネルを選択する指示を含む制御信号を出力し、ＦＦＴ信号切換部３１に放送信号をダイバーシティ合成部３３に出力させるための制御信号を出力し、時分割復調部２２Ａに時分割モードを示す制御信号を出力する。これにより、第１〜第４受信部１０，２０，３０，４０それぞれが、第１チャンネルの放送信号を出力し、ダイバーシティ合成部３３は、第１〜第４受信部１０，２０，３０，４０がそれぞれ出力する放送信号を合成する。ダイバーシティ合成部３３が合成した放送信号は、第１復調部１２で復調され、第１ＭＰＥＧデコーダ１３でデコードされ、第１チャンネルのビデオ信号が第１映像信号切換部１４に入力される。このため、第１ディスプレイ１５および第２ディスプレイ２５のいずれかまたは双方に、第１チャンネルの放送信号の映像を出力することができる。例えば、第１チャンネルの放送信号の出力先として第１ディスプレイ１５および第２ディスプレイ２５の双方を選択する指示を含む出力指示をユーザが操作部４１に入力したとすれば、マルチチャンネル制御部３５Ｂは、第１映像信号切換部１４にビデオ信号を第１ディスプレイ１５および第２ディスプレイ２５の双方に出力させるための制御信号を出力する。
【０１００】
時分割復調部２２Ｂは、マルチチャンネル制御部３５Ｂから入力される時分割モードを示す制御信号に従って、第１の期間に第１受信部１０から入力される放送信号を復調し、第２の期間に第２受信部２０から入力される放送信号を復調し、第３の期間に第３受信部３０から入力される放送信号を復調し、第４の期間に第４受信部４０から入力される放送信号を復調するとともに、復調した放送信号から再生可否データを生成し、記憶部３７に格納する。これにより、記憶部３７に再生可否テーブルが記憶される。
【０１０１】
図１０は、記憶部に記憶される再生可否信号テーブルの一例を示す図である。図１０を参照して、再生可否テーブルは、第１受信部１０、第２受信部２０、第３受信部３０および第４受信部４０それぞれについて、高画質の放送信号（フルセグ放送信号）および低画質の放送信号（ワンセグ放送信号）ごとの各期間における再生可否を示す再生可否データを含む。例えば、期間１においては、第１〜第４受信部１０，２０，３０，４０が受信するチャンネルの低画質の放送信号（ワンセグ放送信号）は再生可能である。また、第２受信部２０および第３受信部３０が受信するチャンネルの高画質の放送信号（フルセグ放送信号）は再生可能であるが、第１受信部１０および第４受信部４０が受信するチャンネルの高画質の放送信号（フルセグ放送信号）は再生不可であることを示す。
【０１０２】
図８に戻って、マルチチャンネル制御部３５Ｂは、操作部４１から第１チャンネルに加えて第２チャンネルを選択する指示を受け付けると、記憶部３７に記憶された再生可否データを読出し、再生可否データに基づいて、第１〜第４受信部１０，２０，３０，４０のうちから再生可能な放送信号を出力するものが少なくとも１つ存在するか否かを判断する。マルチチャンネル制御部３５Ｂは、優先モード設定部３９により画質優先モードがＯＮに設定されている場合、再生可否データの高画質の放送信号（フルセグ放送信号）の再生可否データが再生可能であるか否かを判断し、優先モード設定部３９により画質優先モードがＯＦＦに設定されている場合、再生可否データの低画質の放送信号（ワンセグ放送信号）の再生可否データが再生可能であるか否かを判断する。再生可否データの所定の期間内の再生可否を用いるようにしてもよい。
【０１０３】
マルチチャンネル制御部３５Ｂは、第１〜第４受信部１０，２０，３０，４０のうちから再生可能な放送信号を出力する少なくとも１つが選択できたならば、第１〜第４受信部１０，２０，３０，４０のうちから再生可能な放送信号を出力するものを少なくとも１つ含む２つを、第１チャンネルを受信するための継続受信部に決定する。第１〜第４受信部１０，２０，３０，４０のうちで再生可能な放送信号を出力する受信部が１つの場合には、その受信部を含み他の３つのうちから任意に選択した１つを継続受信部に決定する。第１〜第４受信部１０，２０，３０，４０のうちで再生可能な放送信号を出力する受信部が２の場合には、その２つの受信部を継続受信部に決定する。第１〜第４受信部１０，２０，３０，４０のうちで再生可能な放送信号を出力する受信部が３以上の場合には、それらの３つの受信部のうちから任意の２つを継続受信部に決定する。ここでは、第２受信部２０および第３受信部３０を継続受信部として決定した場合を例に説明する。
【０１０４】
そして、マルチチャンネル制御部３５Ｂは、ＦＦＴ信号切換部３１に第２合成部５０２から入力される放送信号をダイバーシティ合成部３３に出力させないための制御信号を出力する。さらにマルチチャンネル制御部３５Ｂは、第１〜第４受信部１０，２０，３０，４０のうち継続受信部以外の受信部、ここでは第１受信部１０および第４受信部４０に第２チャンネルを選択する指示を含む制御信号を出力する。これにより、第１受信部１０および第４受信部４０が、第２チャンネルの放送信号を出力する。
【０１０５】
さらに、マルチチャンネル制御部３５Ｂは、第１合成部５０１に出力するための２つの継続受信部の組を選択する指示を示す切換信号と、第２合成部５０２に出力するための継続受信部以外の２つの受信部の組を選択する指示を示す切換信号とをサブ合成部５０に出力するとともに、継続受信部以外の２つの受信部、ここでは第１受信部１０と第４受信部４０それぞれに第２チャンネルを選択する指示を含む制御信号を出力する。
【０１０６】
サブ合成部５０のアンテナ選択制御部５０３は、マルチチャンネル制御部３５Ｂから入力される制御信号に従って、第１合成部５０１に２つの継続受信部の組を選択する指示を示す切換信号を出力し、第２合成部５０２に継続受信部以外の２つの受信部の組を選択する指示を示す切換信号を出力する。第１合成部５０１は、２つの継続受信部、ここでは第２受信部２０および第３受信部３０がそれぞれ出力する第１チャンネルの放送信号をダイバーシティ合成し、合成した第１チャンネルの放送信号をダイバーシティ合成部３３に出力する。ダイバーシティ合成部３３が出力する第１チャンネルの放送信号は、第１復調部１２で復調され、第１ＭＰＥＧデコーダ１３でデコードされ、第２チャンネルのビデオ信号が第１映像信号切換部１４に入力される。このため、第１ディスプレイ１５および第２ディスプレイ２５のいずれかに、第１チャンネルの放送信号の映像を出力することができる。
【０１０７】
一方、第２合成部５０１は、継続受信部以外の２つの受信部、ここでは第１受信部１０および第４受信部４０がそれぞれ出力する第２チャンネルの放送信号をダイバーシティ合成し、合成した第２チャンネルの放送信号を時分割復調部２２Ｂに出力する。
【０１０８】
マルチチャンネル制御部３５Ｂは、さらに、時分割復調部２２Ｂに継続復調モードを示す制御信号を出力する。これにより、時分割復調部２２Ａは、第２合成部５０２が出力する第２チャンネルの放送信号を復調し、復調した第２チャンネルの放送信号を第２ＭＰＥＧデコーダ２３に出力する。第２ＭＰＥＧデコーダ２３は、デコードして生成した第２チャンネルのビデオ信号を第２映像信号切換部２４に入力する。このため、第１ディスプレイ１５および第２ディスプレイ２５のいずれかに、第２チャンネルの放送信号の映像を出力することができる。
【０１０９】
例えば、第１ディスプレイ１５および第２ディスプレイ２５の双方に第１チャンネルの放送信号が出力されている状態で、第２チャンネルの放送信号の出力先として第２ディスプレイ２５を選択するマルチチャンネル出力指示をユーザが操作部４１に入力したとすれば、マルチチャンネル制御部３５Ｂは、第１映像信号切換部１４にビデオ信号を第１ディスプレイ１５に出力させるための制御信号を出力するとともに、第２映像信号切換部２４にビデオ信号を第２ディスプレイ１５に出力させるための制御信号を出力する。これにより、第１ディスプレイ１５には、第１チャンネルの放送信号の映像が継続して出力され、第２ディスプレイ２５には、第２チャンネルの放送信号の映像が出力される。
【０１１０】
図１１は、再生可否データ保存処理の流れの一例を示す第２の図である。再生可否データ保存処理は、時分割復調部２２Ｂが、それが備えるＲＯＭに記憶された再生可否データ保存プログラムを実行することにより、時分割復調部２２Ｂで実行される処理である。図１１を参照して、時分割復調部２２Ｂは、第１受信部１０の映像信号を選択する（ステップＳ６１）。具体的には、第１受信部１０が出力する放送信号を処理対象とする映像信号として選択する。そして、選択した映像信号の状態をチェックする（ステップＳ６２）。そして、ステップＳ６３においては、第２受信部２０の映像信号を選択する。具体的には、第２受信部２０が出力する放送信号を処理対象とする映像信号として選択する。そして、選択した映像信号の状態をチェックする（ステップＳ６４）。ステップＳ６５においては、第３受信部３０の映像信号を選択する。具体的には、第３受信部３０が出力する放送信号を処理対象とする映像信号として選択する。そして、選択した映像信号の状態をチェックする（ステップＳ６６）。ステップＳ６７においては、第４受信部４０の映像信号を選択する。具体的には、第４受信部４０が出力する放送信号を処理対象とする映像信号として選択する。そして、選択した映像信号の状態をチェックし（ステップＳ６８）、処理をステップＳ６１に戻す。この再生可否データ保存処理は、マルチチャンネル制御部３５Ｂから時分割モードを示す制御信号が入力された後、次に継続復調モードを示す制御信号が入力されるまで、実行される。ステップＳ６２、ステップＳ６４、ステップＳ６６およびステップＳ６８で実行される信号状態チェック処理は、図６に示したのと同様の処理が実行される。
【０１１１】
図１２は、マルチチャンネル出力処理の流れの一例を示す第３のフローチャートである。このマルチチャンネル出力処理は、マルチチャンネル制御部３５Ｂが、それが備えるＲＯＭに記憶されたマルチチャンネル出力プログラムを実行することにより、マルチチャンネル制御部３５Ｂにより実行される処理である。図１２を参照して、ステップＳ７１〜ステップＳ７３の処理は、図７に示したステップＳ４１〜ステップＳ４］３の処理と同じなので、ここでは説明を繰り返さない。
【０１１２】
ステップＳ７４において、画質優先モードを判断する。画質優先モードがＯＮに設定されていれば処理をステップＳ７５に進め、画質優先モードがＯＦＦに設定されていれば処理をステップＳ８１に進める。ステップＳ７５においては、第１〜第４受信部１０，２０，３０，４０のうちに高画質部分が再生可能な受信部があるか否かを判断する。具体的には、ステップＳ７３で読み出した再生可否データのうち高画質の放送信号（フルセグ放送信号）の再生可否を参照する。高画質の放送信号（フルセグ放送信号）を再生可とする再生可否データが１つでも存在すれば、処理をステップＳ７６に進め、そうでなければ処理をステップＳ８７に進める。ステップＳ７６においては、第１〜第４受信部１０，２０，３０，４０のうちから高画質部分が再生可能な受信部を少なくとも１つ含む２つの受信部を継続受信部として選択する。ここでは、第２受信部２０と第３受信部３０を継続受信部として選択した場合を例に説明する。
【０１１３】
次のステップＳ７７においては、継続受信部として選択した受信部の出力を第１合成部５０１に切換える。具体的には、第１合成部５０１に継続受信部、ここでは第２受信部２０と第３受信部３０とを選択させる指示を示す切換信号をサブ合成部５０に出力する。ステップＳ７８においては、継続受信部以外の残りの受信部の出力を第２合成部５０２に切換える。具体的には、第２合成部５０２に継続受信部以外の受信部、ここでは第１受信部１０と第４受信部４０とを選択させる指示を示す切換信号をサブ合成部５０に出力する。
【０１１４】
ステップＳ７９においては、ダイバーシティ合成を中止する。具体的には、ＦＦＴ信号切換部３１に第２合成部５０２から入力される放送信号をダイバーシティ合成部３３に出力させないための制御信号を出力するとともに、時分割復調部２２Ｂに継続復調モードを示す制御信号を出力する。これにより、第２受信部２０および第３受信部３０それぞれが第１チャンネルの放送信号を出力し、第１チャンネルの放送信号は、第１合成部５０１で合成され、第１復調部１２で復調され、第１ＭＰＥＧデコーダ１３でデコードされ、第１チャンネルのビデオ信号が第１映像信号切換部１４に入力される。このため、第１ディスプレイ１５および第２ディスプレイ２５のいずれかに第１チャンネルの放送信号の映像を継続して出力することができる。
【０１１５】
そして、次のステップＳ８０において、継続受信部以外の残りの受信部で第２チャンネルの放送信号を受信するように切換える。具体的には、継続受信部以外の残りの受信部、ここでは第１受信部１０および第４受信部４０に第２チャンネルを選択する指示を含む制御信号を出力する。これにより、第１受信部１０および第４受信部４０それぞれが第２チャンネルの放送信号を出力し、第２チャンネルの放送信号は、第２合成部５０２で合成され、時分割復調部２２Ｂで復調され、第２ＭＰＥＧデコーダ２３でデコードされ、第２チャンネルのビデオ信号が第２映像信号切換部２４に入力される。このため、第１ディスプレイ１５および第２ディスプレイ２５のいずれかに第２チャンネルの放送信号の映像を出力することができる。
【０１１６】
ステップＳ８１においては、第１〜第４受信部１０，２０，３０，４０のうちに低画質部分が再生可能な受信部があるか否かを判断する。具体的には、ステップＳ７３で読み出した再生可否データのうち低画質の放送信号（ワンセグ放送信号）の再生可否を参照する。低画質の放送信号（ワンセグ放送信号）を再生可とする再生可否データが１つでも存在すれば、処理をステップＳ８２に進め、そうでなければ処理をステップＳ８７に進める。ステップＳ８２においては、第１〜第４受信部１０，２０，３０，４０のうちから低画質部分が再生可能な受信部を少なくとも１つ含む２つの受信部を継続受信部として選択する。ここでは、第２受信部２０と第３受信部３０を継続受信部として選択した場合を例に説明する。
【０１１７】
次のステップＳ８３においては、継続受信部として選択した受信部の出力を第１合成部５０１に切換える。ステップＳ８４においては、継続受信部以外の残りの受信部の出力を第２合成部５０２に切換える。ステップＳ８５においては、ダイバーシティ合成を中止する。これにより、第２受信部２０および第３受信部３０それぞれが第１チャンネルの放送信号を出力し、第１チャンネルの放送信号は、第１合成部５０１で合成され、第１復調部１２で復調され、第１ＭＰＥＧデコーダ１３でデコードされ、第１チャンネルのビデオ信号が第１映像信号切換部１４に入力される。このため、第１ディスプレイ１５および第２ディスプレイ２５のいずれかに第１チャンネルの放送信号の映像を継続して出力することができる。
【０１１８】
そして、次のステップＳ８６において、継続受信部以外の残りの受信部で第２チャンネルの放送信号を受信するように切換える。具体的には、継続受信部以外の残りの受信部、ここでは第１受信部１０および第４受信部４０に第２チャンネルを選択する指示を含む制御信号を出力する。これにより、第１受信部１０および第４受信部４０それぞれが、第２チャンネルの放送信号を出力し、第２チャンネルの放送信号は、第２合成部５０２で合成され、時分割復調部２２Ｂで復調され、第２ＭＰＥＧデコーダ２３でデコードされ、第２チャンネルのビデオ信号が第２映像信号切換部２４に入力される。このため、第１ディスプレイ１５および第２ディスプレイ２５のいずれかに第２チャンネルの放送信号の映像を出力することができる。
【０１１９】
処理をステップＳ７５またはステップＳ８１からステップＳ８７に進める場合、第１〜第４受信部１０，２０，３０，４０のいずれもがユーザの所望する画質で放送信号を再生できない場合である。この場合には、先に選択している第１チャンネルの放送信号の再生を継続させるため、マルチチャンネル出力指示に対するエラー処理を実行する。例えば、第２チャンネルの視聴ができないことをユーザに知らせるために、警告音を出力する、またはエラーメッセージを表示する、またはエラーメッセージを音声出力する。
【０１２０】
本実施の形態における放送受信装置１Ｂは、第１復調部１２がダイバーシティ合成部３３により第１〜第４受信部１０，２０，３０，４０がそれぞれ出力する放送信号を合成した放送信号を復調している最中に、時分割復調部２２Ｂが第１〜第４受信部１０，２０，３０，４０それぞれが出力する放送信号を時分割で復調し、復調された放送信号のエラー率をしきい値と比較することにより、第１〜第４受信部１０，２０，３０，４０それぞれが出力する放送信号が再生可能か否かを判断する。そして、第１〜第４受信部１０，２０，３０，４０のうち少なくとも１つが再生可能と判断されたとき、第１〜第４受信部１０，２０，３０，４０のうち再生可能な１つを少なくとも含む２つを継続受信部として決定し、継続受信部に第１チャンネルの受信を継続させ、継続受信部以外の受信部に第２チャンネルの放送信号を受信させる。２つの継続受信部それぞれが出力する第１チャンネルの放送信号は、第１合成部５０１でダイバーシティ合成され、第１復調部１２で復調されるため、第１チャンネルの放送信号の映像を途絶えることなく出力することができる。また、継続受信部以外の受信部が出力する第２チャンネルの放送信号は、第２合成部５０２でダイバーシティ合成され、時分割復調部２２Ｂで復調されるため、第２チャンネルの放送信号の映像を出力することができる。
【０１２１】
一方、第１〜第４受信部１０，２０，３０，４０それぞれの出力する放送信号のすべてが再生不可能と判断されたとき、第１〜第４受信部１０，２０，３０，４０それぞれにより第１チャンネルの受信が継続されるので、第１チャンネルの放送信号の映像の出力を継続することができる。
【０１２２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１２３】
【図１】本発明の第１の実施の形態における放送受信装置の回路構成を示すブロック図である。
【図２】マルチチャンネル出力処理の流れの一例を示す第１のフローチャートである。
【図３】第２の実施の形態における放送受信装置の回路構成を示すブロック図である。
【図４】記憶部に記憶される再生可否信号テーブルの一例を示す図である。
【図５】再生可否データ保存処理の流れの一例を示す第１の図である。
【図６】信号状態チェック処理の流れの一例を示すフローチャートである。
【図７】マルチチャンネル出力処理の流れの一例を示す第２のフローチャートである。
【図８】第３の実施の形態における放送受信装置の回路構成を示すブロック図である。
【図９】サブ合成部の詳細な構成を示すブロック図である。
【図１０】記憶部に記憶される再生可否信号テーブルの一例を示す図である。
【図１１】再生可否データ保存処理の流れの一例を示す第２の図である。
【図１２】マルチチャンネル出力処理の流れの一例を示す第３のフローチャートである。
【符号の説明】
【０１２４】
１，１Ａ，１Ｂ  放送受信装置、１０  第１受信部、１２  第１復調部、１３  第１ＭＰＥＧデコーダ、１４  第１映像信号切換部、１５  第１ディスプレイ、２０  第２受信部、２２  第２復調部、２２Ａ，２２Ｂ  時分割復調部、２３  第２ＭＰＥＧデコーダ、２４  第２映像信号切換部、２５  第２ディスプレイ、３０  第３受信部、３１  ＦＦＴ信号切換部、３３  ダイバーシティ合成部、３５，３５Ａ，３５Ｂ  マルチチャンネル制御部、３７  記憶部、３９  優先モード設定部、４０  第４受信部、４１  操作部、５０  サブ合成部、１０１，２０１，３０１，４０１  アンテナ、１０２，２０２，３０２，４０２  チューナ、１０３，２０３，３０３，４０３  ＦＦＴ部、５０１  合成部、５０２  合成部、５０３  アンテナ選択制御部。
【図１】
2008092202.tif 000003
【図２】
2008092202.tif 000004
【図３】
2008092202.tif 000005
【図４】
2008092202.tif 000006
【図５】
2008092202.tif 000007
【図６】
2008092202.tif 000008
【図７】
2008092202.tif 000009
【図８】
2008092202.tif 000010
【図９】
2008092202.tif 000011
【図１０】
2008092202.tif 000012
【図１１】
2008092202.tif 000013
【図１２】
2008092202.tif 000014